(57)【要約】【課題】円柱側面状の湾曲面において好適であり、動作もスムーズで、かつデザイン面でも良好な回動ドア機構を実現する。【解決手段】回動ドア機構を、筐体の略円柱側面形状の部位において開閉される略円柱側面形状のドア面部を有するフロントドア２と、底板４（基台部材）と、回動板３（回動部材）で構成する。上記回動板３は、底板４に回動可能に取り付けられ、フロントドア２は、回動板３に対して、ドア正面方向に付勢されながら、ドア正面方向から奥行き方向に移動可能に取り付けられ、底板４には、フロントドア２に形成されたボス２６（被ガイド部）と当接してフロントドア２の移動を案内するガイドリブ４３（ガイド部）が形成されている。そしてドア面部２０を、回動板３の回動方向にスライドさせることで、回動板３の回動が行われるとともに、フロントドア２は回動板３の回動とガイドリブ４３の案内によって、正面−奥行き方向と回動方向とを伴った移動が行われて、ドア面部２０の開閉動作が行われるようにする。【選択図】図２
2008140975.tif 000002
【特許請求の範囲】
【請求項１】
筐体の略円柱側面形状の部位において開閉される略円柱側面形状のドア面部を有するフロントドア部材と、基台部材と、回動部材とを有して成り、
上記回動部材は、上記基台部材上に回動可能に取り付けられ、
上記フロントドア部材は、上記回動部材に対して、ドア正面方向に付勢されながら、ドア正面方向から奥行き方向に移動可能に取り付けられ、
上記基台部材には、上記フロントドア部材に形成された被ガイド部と当接して上記フロントドア部材の移動を案内するガイド部が形成されており、
上記ドア面部を、上記回動部材の回動方向にスライドさせることで、上記回動部材の回動が行われるとともに、上記フロントドア部材は上記回動部材の回動と上記ガイド部の案内によって、正面−奥行き方向と上記回動方向とを伴った移動が行われて、上記ドア面部の開閉動作が行われるように構成されたことを特徴とする回動ドア機構。
【請求項２】
閉状態から開状態とされるときの、上記フロントドア部材の正面−奥行き方向と上記回動方向とを伴った移動とは、上記ドア面部に与えられる上記スライド時の押圧力によって上記フロントドア部材が上記回動部材からの付勢に逆らって上記奥行き方向に移動しながら、上記回動部材とともに回動する移動であることを特徴とする請求項１に記載の回動ドア機構。
【請求項３】
開状態から閉状態とされるときの、上記フロントドア部材の正面−奥行き方向と上記回動方向とを伴った移動とは、上記ドア面部に与えられる上記スライドによって上記フロントドア部材が上記回動部材とともに回動するとともに、上記回動部材からの付勢によって上記ドア正面方向に押し出される移動であることを特徴とする請求項１に記載の回動ドア機構。
【請求項４】
上記回動部材と上記基台部材の間に反転バネが取り付けられており、
上記反転バネは、上記基台部材に対しての上記回動部材の位置が、中間状態から開状態となる回動方向と、中間状態から閉状態となる回動方向に付勢するように取り付けられていることを特徴とする請求項１に記載の回動ドア機構。
【請求項５】
回動ドア機構を有する電子機器であって、
上記回動ドア機構は、筐体の略円柱側面形状の部位において開閉される略円柱側面形状のドア面部を有するフロントドア部材と、基台部材と、回動部材とを有して成り、
上記回動部材は、上記基台部材上に回動可能に取り付けられ、
上記フロントドア部材は、上記回動部材に対して、ドア正面方向に付勢されながら、ドア正面方向から奥行き方向に移動可能に取り付けられ、
上記基台部材には、上記フロントドア部材に形成された被ガイド部と当接して上記フロントドア部材の移動を案内するガイド部が形成されており、
上記ドア面部を、上記回動部材の回動方向にスライドさせることで、上記回動部材の回動が行われるとともに、上記フロントドア部材は上記回動部材の回動と上記ガイド部の案内によって、正面−奥行き方向と上記回動方向とを伴った移動が行われて、上記ドア面部の開閉動作が行われるように構成されていることを特徴とする電子機器。
【発明の詳細な説明】
【技術分野】
【０００１】
本発明は、各種機器の筐体上で開閉されることで、筐体内部の構造部位を遮蔽・表出するドア機構であって、特に回動動作により開閉が行われる回動ドア機構、及び回動ドア機構を備えた電子機器に関する。
【背景技術】
【０００２】
【特許文献１】特開２００５−３０３１１８号公報
【０００３】
例えばパーソナルコンピュータなどの情報処理装置や、テレビジョンモニタ、ビデオレコーダ等のＡＶ（Audio Visual）機器などの電子機器においては、機器筐体上に形成される各種コネクタ端子やカードスロット、操作スイッチなどの入出力端子類を、ドアで隠すことが行われている。
図１１（ａ）（ｂ）には、筐体１００の前面において開閉するドア１０１が形成された機器を示している。この例では図１１（ａ）の閉状態から、ユーザが取っ手部１０２に指をかけて引く事により、図１１（ｂ）のようにドア１０１が腕部１０４を介して前方に倒れるように回動して開いていき、開状態において、コネクタ端子やカードスロット等の内部機構１０３が表出する。
また、上記特許文献１にも、配線接続部を覆う扉が前方に回動して開状態となる機器が示されている。
【発明の開示】
【発明が解決しようとする課題】
【０００４】
このように上記のようにドアが前方に倒れるように回動して開くドア機構は一般的である。ところが、このようなドア機構は、機器筐体における平面状の部位に取り付ける事に適しているが、例えば円柱側面状の曲面部位に設けるドア機構としては適切ではない。例えば後述する図１のような円柱形状の機器筐体を想定し、その正面、つまり円柱側面形状の面に取り付けるドア機構として適切ではない。
【０００５】
即ち、円柱側面状の部位においてドアを前方に開かせるようにすると、その筐体面が湾曲面であるために、次のような不都合が生じる。
まずドアと筐体とがつながる腕の部分をドアの端に配置すると、筐体のドアの下部にあたる部分を大きく切り欠く必要がでてしまう。
またドアと筐体とがつながる腕の部分をドアの中心部に配置するとドアのガタつきが大きくなってしまう。さらに見栄えが損なわれる。
【０００６】
一方、ドアを前に倒すように開く機構以外には、ドアを横方向にスライドさせる機構も知られている。ところが横方向に開くドアの構造では、通常その軌跡に沿ったレールやギアによってドアの動きを定義づけているが、レールやギアでは開閉動作のスムーズな感触を得ることは難しい。また閉じた状態では、ドア面が円柱側面状の筐体より一段奥に位置することになり、デザイン上制限をうける。
【０００７】
そこで本発明では、円柱側面状の湾曲面において好適であり、動作もスムーズで、かつデザイン面でも良好な回動ドア機構を実現することを目的とする。
【課題を解決するための手段】
【０００８】
本発明の回動ドア機構は、筐体の略円柱側面形状の部位において開閉される略円柱側面形状のドア面部を有するフロントドア部材と、基台部材と、回動部材とを有して成る。上記回動部材は、上記基台部材上に回動可能に取り付けられ、上記フロントドア部材は、上記回動部材に対して、ドア正面方向に付勢されながら、ドア正面方向から奥行き方向に移動可能に取り付けられ、上記基台部材には、上記フロントドア部材に形成された被ガイド部と当接して上記フロントドア部材の移動を案内するガイド部が形成されている。そして上記ドア面部を、上記回動部材の回動方向にスライドさせることで、上記回動部材の回動が行われるとともに、上記フロントドア部材は上記回動部材の回動と上記ガイド部の案内によって、正面−奥行き方向と上記回動方向とを伴った移動が行われて、上記ドア面部の開閉動作が行われるように構成される。
また、閉状態から開状態とされるときの、上記フロントドア部材の正面−奥行き方向と上記回動方向とを伴った移動とは、上記ドア面部に与えられる上記スライド時の押圧力によって上記フロントドア部材が上記回動部材からの付勢に逆らって上記奥行き方向に移動しながら、上記回動部材とともに回動する移動である。
また開状態から閉状態とされるときの、上記フロントドア部材の正面−奥行き方向と上記回動方向とを伴った移動とは、上記ドア面部に与えられる上記スライドによって上記フロントドア部材が上記回動部材とともに回動するとともに、上記回動部材からの付勢によって上記ドア正面方向に押し出される移動である。
また上記回動部材と上記基台部材の間に反転バネが取り付けられており、上記反転バネは、上記基台部材に対しての上記回動部材の位置が、中間状態から開状態となる回動方向と、中間状態から閉状態となる回動方向に付勢するように取り付けられている。
また本発明の電子機器は、以上のような回動ドア機構を有する電子機器である。
【０００９】
このような本発明は、略円柱側面形状の筐体に配置されるドアについて、引き込み機構や回転機構を組み合わせることにより、横方向にスライドさせるだけで、開く場合にはドアが内部に引き込まれ、閉める場合にはドア面部が正面方向に押し出されながら、回転して開閉する機構である。
筐体の略円柱側面形状の部位で開閉されるということは、回動部材を回動させることがそのままフロントドア部材の開閉動作につながることとなる。つまり、基台部材に対して回動部材を回動することで、回動部材に取り付けられているフロントドア部材の開閉が行われるようにする。
この開閉動作を行う際に、ユーザは、フロントドア部材におけるドア面部を横にスライドさせることになるが、そのスライド操作によってフロントドア部材とともに回動部材が回動する。
フロントドア部材は正面方向に付勢されているため、閉状態にあるときには、機器筐体の略円柱側面に対して、同じく略円柱側面形状のドア面部が体裁良く位置する。
ドアを開く際には、ユーザがスライド操作時にドア面部に与える押圧力によって、フロントドア部材が回動部材からの付勢に逆らって奥行き方向に移動しながら、回動部材とともに回動していき、開状態となる。
【発明の効果】
【００１０】
本発明によれば略円柱側面形状の湾曲面において体裁良くドア面部を配設でき、デザイン上好適であるとともに、横方向のみのスライド動作でドアの開閉ができるという効果がある。即ちドア面部が奥行き方向に入りこみながら回動する機構のため、横方向のスライド操作によって開閉されるドア機構でありながら、体裁への影響がほとんどない。
また反転バネによって、上記基台部材に対しての上記回動部材の位置が、中間状態から開状態となる回動方向と、中間状態から閉状態となる回動方向に付勢されることで、ユーザが横方向にスライドさせる際に、開閉範囲の約半分だけドアを動かせば、あとは自動的に開く（または閉まる）状態にまで回動が行われる。これにより、開閉動作がよりスムーズに行われる。
【発明を実施するための最良の形態】
【００１１】
本発明の実施の形態を図１から図１０を用いて説明する。
図１は電子機器の筐体の一例として、円柱形状の機器筐体１を示しており、この円柱形状の機器筐体の正面側、即ち円柱形状の側面となる部位に、実施の形態の回動ドア機構が形成されている状態を示している。図１（ａ）はドアが閉じられた状態の斜視図、図１（ｂ）はドアが開かれた状態の斜視図、図１（ｃ）は筐体１を下方から見た斜視図である。
【００１２】
この回動ドア機構においては、図１（ａ）（ｂ）のように実際にコネクタ端子やカードスロット等を有する内部機構部９を遮蔽・表出するドア面部２０を有するフロントドア２としての部材と、図１（ｃ）に示す底板４と、図１では示されていないが、後述する回動板３とを有して構成される。
フロントドア２、回動板３、底板４が、それぞれ本発明請求項で言うフロントドア部材、回動部材、基台部材の例となる。
【００１３】
ドア面部２０は、その前面が筐体１の円柱側面形状と同一の曲率の円柱側面形状とされ、図１（ａ）の閉状態では、ドア面部２０は、筐体の円柱側面形状の一部を形成している。つまりドア面部２０が筐体１の側面と同一面にまで押し出された状態となっている。
この図１（ａ）の閉状態からドアを開ける際には、ユーザは、ドア面部２０の前面に小さく凸状に形成されているスライドガイドリブ２１のあたりに指をあて、ドア面部２０を図中右方向にスライドさせる。
するとドア面部２０（フロントドア２）は、奥行き方向への移動を伴いながら横方向（円柱側面に沿った円周方向）にスライドされていき、図１（ｂ）のような開状態となる。この開状態では、図のようにドア面部２０は、筐体側面より内部に入り込んだ位置状態となる。
このように開状態に至る際には、まずユーザが指を当てる際の自然な押圧力により、ドア面部２０に対して奥行き方向へ移動する力が加わる。そしてスライド移動によりフロントドア２が回動して開状態に至る。ユーザにとっては、単に軽くドア面部２０を右方向にスライドさせるという意識のみで、ドアを開状態とすることができる。
【００１４】
また図１（ｂ）の開状態からドアを閉じる際には、ユーザは、筐体から表出しているスライドガイドリブ２１のあたりに指をあて、ドア面部２０を左方向にスライドさせる。
するとドア面部２０（フロントドア２）は、横方向（円柱側面に沿った円周の方向）にスライドされていき、図１（ａ）のような開状態となる。このときフロントドア２は前方に向かって付勢されていることで、開ける際とは逆に前方に押し出される動きを伴うことになる。
つまり、閉状態に至る際には、ユーザによるスライド操作と前方への付勢力により、フロントドア２が回動し、かつ前面に押し出されて、図１（ａ）のような閉状態の位置に至る。ユーザにとっては、単に軽くドア面部２０を左方向にスライドさせるという意識のみで、ドアを閉状態とすることができる。
このような、フロントドア２の正面−奥行き方向の移動を伴いながらの回動は、図１（ｃ）に示す底板４に組み込まれる機構により実現される。
【００１５】
このような動作を行う回動ドア機構を形成するフロントドア２、回動板３、底板４及びこれらの取り付け状態を説明していく。
図２（ａ）（ｂ）は、底板４に、フロントドア２、回動板３が組み込まれた回動ドア機構の全体を示す平面図及び斜視図である。この図２（ａ）（ｂ）は閉状態となっている場合を示している。
図３（ａ）（ｂ）も、底板４に、フロントドア２、回動板３が組み込まれた回動ドア機構の全体を示す平面図及び斜視図である。この図３（ａ）（ｂ）は開状態となっている場合を示している。
図４、図５、図６は、それぞれ底板４，回動板３、フロントドア２を示している。
【００１６】
まず図４で底板４を説明する。図４（ａ）（ｂ）は底板４の平面図と斜視図である。
底板４は、図１のような円柱形状の筐体１に適合するように略円形の平面形状で形成され、筐体１の底面部材として機能する。
そして底板４の中心部には、回動軸部４１が形成されている。回動軸部４１は例えば円形リブとして形成される。
また回動軸部４１の近辺に、後述する反転バネ５１の一端が取り付けられるバネ係止リブ４２が形成されている。
また円周方向にガイドリブ４３が形成される。このガイドリブ４３は、フロントドア２の移動をガイドする機能を有し、外側の長いリブと内側の短いリブにより形成されている。
ストッパ部４４は、フロントドア２が開状態に至った際に、それ以上の回動を規制するように設けられている。
一方、ストッパ部４５は、フロントドア２が閉状態に至った際に、それ以上の回動を規制するように設けられている。
【００１７】
このような底板４に対して回動可能に取り付けられる回動板３の平面図、右側面図、底面図、斜視図を図５（ａ）（ｂ）（ｃ）（ｄ）に示す。
回動板３には、回動中心孔３１が設けられる。回動板３は、この回動中心孔３１が底板４の回動軸部４１にはめ込まれる状態で底板４に取り付けられることになる。
また所定位置にバネ係止リブ３２が形成され、後述する反転バネ５１の他端が取り付けられる。
また、フロントドア２を取り付けるための部位として、スライド係合部３４，３５，３６が設けられ、さらにフロントドア２を正面方向に付勢する、後述する圧縮バネ５０を取り付けるバネ支持部３３が形成される。
【００１８】
この回動板３に対して正面−奥行き方向に移動可能に取り付けられるフロントドア２の平面図、右側面図、底面図、斜視図を図６（ａ）（ｂ）（ｃ）（ｄ）に示す。
フロントドア２には、図のようにドア面部２０より機器筐体内に位置する部位が一体形成されており、スライド係合部２３，２４，２５と、圧縮バネ５０を取り付けるバネ支持部２２が形成されている。
またドア面部２０の一端部は、開状態において底板４のストッパ部４４に当接する当接部２７とされている。
また閉状態において底板４のストッパ部４５に当接する当接部２８が形成されている。
さらに、フロントドア２の底面側には、底板４のガイドリブ４３によって案内される被ガイド部となるボス２６が設けられている。
【００１９】
図７（ａ）（ｂ）（ｃ）（ｄ）に、フロントドア２が回動板３に組み込まれた状態の平面図、右側面図、底面図、斜視図を示す。
これらの図のようにフロントドア２のスライド係合部２３，２４，２５が、それぞれ回動板３のスライド係合部３４，３５，３６と係合することで、フロントドア２は回動板３に対して正面−奥行き方向に移動可能に取り付けられる。なお、正面−奥行き方向の移動可能範囲は、回動板３のスライド係合部３４，３５，３６に対するフロントドア２のスライド係合部２３，２４，２５の移動可能範囲によって決定される。
また、フロントドア２のバネ支持部２２と回動板３のバネ支持部３３の間に圧縮バネ５０が取り付けられる。これによってフロントドア２は回動板３から正面方向（図中、矢印Ｆ方向）に付勢される。
そしてスライド係合部２３，２４，２５の移動可能範囲内で、圧縮バネ５０によってフロントドア２が最も前方に押し出された状態で、図１（ａ）のように、ドア面部２０が筐体１の円柱側面と同一面の側面を形成するように設計されている。
【００２０】
この図７のフロントドア２と回動板３が、底板４に装着されることで、図２，図３の状態となる。
図２のように閉状態にある場合は、フロントドア２は回動板３から正面方向に付勢されて、ドア面部２０が筐体１とともに筐体側面を形成する位置状態となっている。
この状態から、ドア面部２０に対するユーザのスライド操作が行われると、回動板３が回動中心孔３１を中心にＲＯ方向に回動する。それに伴ってフロントドア２が図３の状態にまで回動し、開状態となる。なお、開状態となった回動位置において、フロントドア２の当接部２７がストッパ部４４に当接し、それ以上のＲＯ方向への回動が規制される。この開状態としての回動位置状態においては、図１（ｂ）のようにドア面部２０のスライドガイドリブ２１が筐体内部の内部機構部９の隅からわずかに表出する状態となる。
また図３の開状態から、ドア面部２０に対するユーザのスライド操作が行われると、回動板３が回動中心孔３１を中心にＲＣ方向に回動する。それに伴ってフロントドア２が図２の状態にまで回動し、閉状態となる。なお、閉状態となった回動位置において、フロントドア２の当接部２８がストッパ部４５に当接し、それ以上のＲＣ方向への回動が規制される。
【００２１】
このような開閉動作の際の特徴を説明する。
図８，図９では、閉状態、開状態のそれぞれでの、底板４に対してのフロントドア２の位置関係及びフロントドア２の底面に形成されるボス２６を示した。
本例では図８の矢印Ａ−Ｂで示すようにフロントドア２が移動する。即ち、ドアが開かれる際には、Ａ方向の動きとして、ドア面部２０が閉まった状態からまず斜め方向にドアが内側に入り込み、その後回動するドアの動きを実現する。また、ドアが閉じられる際には、Ｂ方向の動きとして、ドア面部２０が回動した後、回動しながら斜め方向に押し出される。ドア面部２０がこのような動きをすることによって、第一に体裁面へほとんど影響させずにドアを収納でき、またユーザは横方向のみにドアを動作させるだけでドアを開閉できる、という２つの利点が得られるためである。
【００２２】
このようにドア面部２０が内側に入り込み、その後回転する動きを実現させるために、上述したように、フロントドア２が回動板３に対して正面−奥行き方向に移動可能に取り付けられ、かつ底板４の回動軸部４１に対して回動板３の回動中心孔３１が入り込む形ではめこまれ、回動板３が回動可能に取り付けられるものである。
【００２３】
閉状態から開くときにドア面部２０が奥行き方向に入っていく動き、及び開状態から閉めるときに、最後にドア面部２０が正面方向に押し出される動きのガイドとして、底板４のガイドリブ４３が機能する。即ちフロントドア２のボス２６が、図８の状態と図９の状態の間でガイドリブ４３に導かれることで、フロントドア２の動きが規定される。
上記のとおり、フロントドア２は圧縮バネ５０によって常に回転板３から正面方向に離れる力が働いているため、図８，図９の外側のガイドリブ４３にボス２６が常に接触しながら、フロントドア２は開閉運動をすることになる。
ドア面部２０が奥行き方向に入り込む（或いは正面方向に押し出される）動き以外は、底板４のガイドリブ４３が回転中心と同じ中心の円弧形状になっているので、フロントドア２が回転運動をする仕組みになっている。
【００２４】
圧縮バネ５０は、閉まる際にドア面部２０が自動的に正面方向に押し出される動きを確実にするように取り付けられている。もし圧縮バネ５０がなければ、ガイドリブ４３が抵抗になり、閉状態に移行する際、ドアが最後まで閉まらないという状況が発生しやすいが圧縮バネ５０の取り付けによって、ドア面部２０がスムーズに閉状態位置にまで移行できるようにしている。
また、ドア面部２０が閉状態に至る際には、ユーザのスライド操作過程で、指がドア面部２０を押さえつけてしまい、ドアが正面方向に押し出される動きを妨げてしまう場合もあるが、圧縮バネ５０の付勢力により、指を離した時点で自然にドア面部２０が正面方向に押し出されることになる。
【００２５】
また本例では、底板４と回動板３の間に反転バネ５１としてトーションバネが取り付けられ、これによって円滑な回動動作を実現している。
図１０には、閉状態において、底板４のバネ係止部４２と回動板３のバネ係止部３２の間に取り付けられる反転バネ５１を示しているが、特に回動板３が、開状態への回動を行ったときの反転バネ５１の状態を破線及び一点鎖線で示している。つまり回動板３上のバネ係止部３２の、回動中心孔３１を中心とする回動による位置変化に応じた反転バネ５１の状態であり、一点鎖線は、開状態に至った際の（バネ係止部４２、３２の位置関係が図３の状態となったときの）反転バネ５１の状態を示している。また破線は、回動板３が閉状態と開状態の中間の回動位置における反転バネ５１の状態を、それぞれ示している。特に中間の回動位置における破線の状態は、反転バネ５１の両腕部が最も圧縮された状態（バネの切り替え点）となっている。
【００２６】
この反転バネ５１の切り替え点は、ドア面部２０が閉まっている状態から完全に開いている状態の回動範囲のほぼ中間に設けられている。即ち、反転バネ５１は、回動板３を中間状態から開状態の回動位置へ付勢し、かつ中間状態から閉状態の回動位置へ付勢する作用を持つ。従って閉状態から開こうとする際には、ユーザが、完全に開くまでの中間位置までドア面部２０をスライドさせれば、あとは反転バネ５１が図１０の破線の状態から一点鎖線の状態に至る作用により、回動板３は自然に全開の回動位置にまで回動する。また逆に、開状態から閉じようとする際には、ユーザが、完全に閉じるまでの中間位置までドア面部２０をスライドさせれば、あとは反転バネ５１が図１０の破線の状態から実線の状態に至る作用により、回動板３は自然に、閉状態の回動位置にまで回動する。これによってユーザにとっては、ドアを開ける際も閉める際も開閉範囲のほぼ中間までドアを動かせばよく、あとは指を離しても自動的に目的の状態に至るため、開閉を非常にスムーズに行うことができる。
また、反転バネ５１が、回動板３を閉状態の回動位置、及び開状態の回動位置に付勢することから、図１（ａ）のような閉状態と、図１（ｂ）のような開状態にあるときに、それぞれがむやみに回動してしまうことなく維持される。
なお、前述したように、ドアが最後に閉まる際にドア面部２０が外側に出るのを助けるために圧縮バネ５０を取り付けているが、この反転バネ５１（トーションバネ）のトルクによって圧縮バネ５０の抵抗があっても自動的にフロントドア２が回動するように、２つのばねの力量を設定している。
【００２７】
以上のような実施の形態の回動ドア機構によれば、各種機器の円柱側面形状の部位に、開閉ドアを設ける際に、製品の体裁を損なわずドアを取り付けることが出来る。
特に円柱状の筐体の一部がドアとする際に、円柱状の体裁を美しく保つため、ドア面部２０はただ回転するだけでなく内側に入り込む動きもさせる必要がある。さらにユーザにドア面部２０を押し込んでから横方向にスライドしてもらう、といった２段動作ではなく、ユーザとしては横方向にスライドさせていくだけで、ドアが自動的に中に入り込み、閉める際にも横にスライドさせていくだけでドアが外側に押し出されるという動作が好ましい。本例ではこれらが実現される。つまりユーザにとってワンアクションの操作により、開閉と引き込み・押し出しが同時に行われる。
また圧縮バネ５０、反転バネ５１の力によって、これらの動作が円滑に行われるようにしている。
【００２８】
以上、実施の形態を説明してきたが、本発明の回動ドア機構は多様な機器に適用できる。例えば図１に示したような円柱形状の筐体は、パーソナルコンピュータ等の情報機器や、ＡＶ機器などとして採用されることが考えられるし、さらには炊飯器のような家電製品でも想定される。本発明の回動ドア機構は、これら円柱形状の筐体に設ける開閉ドアとして好適である。
また電気製品に限らず、円筒形状の木製家具、樹脂製家具などにおいて本発明の回動ドア機構は好適である。
さらに、筐体全体が円柱形の機器でなくとも、一部が円柱側面形状とされ、その部位に設ける開閉ドアとして、本発明は好適である。
【図面の簡単な説明】
【００２９】
【図１】本発明の実施の形態の筐体上に設けられる回動ドア機構の説明図である。
【図２】実施の形態の回動ドア機構の閉状態の平面図及び斜視図である。
【図３】実施の形態の回動ドア機構の開状態の平面図及び斜視図である。
【図４】実施の形態の底板の平面図及び斜視図である。
【図５】実施の形態の回動板の平面図、右側面図、底面図、及び斜視図である。
【図６】実施の形態のフロントドアの平面図、右側面図、底面図、及び斜視図である。
【図７】実施の形態の回動板とフロントドアの組み込み状態の平面図、右側面図、底面図、及び斜視図である。
【図８】実施の形態の閉状態での底板とフロントドアの位置関係の説明図である。
【図９】実施の形態の開状態での底板とフロントドアの位置関係の説明図である。
【図１０】実施の形態の反転バネの作用の説明図である。
【図１１】従来の開閉ドアの説明図である。
【符号の説明】
【００３０】
１  筐体、２  フロントドア、３  回動板、４  底板、２０  ドア面部、２１  スライドガイドリブ、２２，３３  バネ支持部、２３，２４，２５，３４，３５，３６  スライド係合部、２６  ボス、３１  回動中心孔、３２，４２  バネ係止部、４１  回動軸部、４３  ガイドリブ
【図１】
2008140975.tif 000003
【図２】
2008140975.tif 000004
【図３】
2008140975.tif 000005
【図４】
2008140975.tif 000006
【図５】
2008140975.tif 000007
【図６】
2008140975.tif 000008
【図７】
2008140975.tif 000009
【図８】
2008140975.tif 000010
【図９】
2008140975.tif 000011
【図１０】
2008140975.tif 000012
【図１１】
2008140975.tif 000013
【手続補正書】
【提出日】平成19年10月31日(2007.10.31)
【手続補正１】
【補正対象書類名】明細書
【補正対象項目名】００１６
【補正方法】変更
【補正の内容】
【００１６】
まず図４で底板４を説明する。図４（ａ）（ｂ）は底板４の平面図と斜視図である。
底板４は、図１のような円柱形状の筐体１に適合するように略円形の平面形状で形成され、筐体１の底面部材として機能する。
そして底板４の中心部には、回動軸部４１が形成されている。回動軸部４１は例えば円形リブとして形成される。
また回動軸部４１の近辺に、後述する反転バネ５１の一端が取り付けられるバネ係止部４２が形成されている。
また円周方向にガイドリブ４３が形成される。このガイドリブ４３は、フロントドア２の移動をガイドする機能を有し、外側の長いリブと内側の短いリブにより形成されている。
ストッパ部４４は、フロントドア２が開状態に至った際に、それ以上の回動を規制するように設けられている。
一方、ストッパ部４５は、フロントドア２が閉状態に至った際に、それ以上の回動を規制するように設けられている。
【手続補正２】
【補正対象書類名】明細書
【補正対象項目名】００１７
【補正方法】変更
【補正の内容】
【００１７】
このような底板４に対して回動可能に取り付けられる回動板３の平面図、右側面図、底面図、斜視図を図５（ａ）（ｂ）（ｃ）（ｄ）に示す。
回動板３には、回動中心孔３１が設けられる。回動板３は、この回動中心孔３１が底板４の回動軸部４１にはめ込まれる状態で底板４に取り付けられることになる。
また所定位置にバネ係止部３２が形成され、後述する反転バネ５１の他端が取り付けられる。
また、フロントドア２を取り付けるための部位として、スライド係合部３４，３５，３６が設けられ、さらにフロントドア２を正面方向に付勢する、後述する圧縮バネ５０を取り付けるバネ支持部３３が形成される。
【手続補正３】
【補正対象書類名】明細書
【補正対象項目名】００２３
【補正方法】変更
【補正の内容】
【００２３】
閉状態から開くときにドア面部２０が奥行き方向に入っていく動き、及び開状態から閉めるときに、最後にドア面部２０が正面方向に押し出される動きのガイドとして、底板４のガイドリブ４３が機能する。即ちフロントドア２のボス２６が、図８の状態と図９の状態の間でガイドリブ４３に導かれることで、フロントドア２の動きが規定される。
上記のとおり、フロントドア２は圧縮バネ５０によって常に回動板３から正面方向に離れる力が働いているため、図８，図９の外側のガイドリブ４３にボス２６が常に接触しながら、フロントドア２は開閉運動をすることになる。
ドア面部２０が奥行き方向に入り込む（或いは正面方向に押し出される）動き以外は、底板４のガイドリブ４３が回転中心と同じ中心の円弧形状になっているので、フロントドア２が回転運動をする仕組みになっている。